(57)【要約】      （修正有）【課題】人の指に近付けた優しく且つ効果的なマッサージを行うことができるマッサージ装置を提供すること。【解決手段】マッサージ装置１において、施療部３が、可撓な材質からなる板状の基板４と、この基板４の面と交差して下方に突出して設けられた複数の第一突起５とを有し、マッサージ装置本体２が、基板４を上下に撓ませる往復駆動機構１２を備える。前記基板４の最大振幅部における振幅方向を中心軸線Ｘとしたとき、複数前記第一突起５に、基端よりも先端２１側が前記中心軸線Ｘから離間するように凸曲面状に形成された内向きの施療面２０を設けると共に、前記第一突起５に外側を向いた陥没部５Ａを形成することで、前記第一突起５における先端２１側を容易に弾性変形可能に形成したので、前記施療面２０の接触圧を緩和して、頭皮Ｓ等に対し、指先で行うような優しく且つ効果的なマッサージを行うことができる。【選択図】図２
2009165664.tif 000002
【特許請求の範囲】
【請求項１】
駆動部と、この駆動部によって動作する施療部とを有し、この施療部が、可撓性を有する材質から成る基板と、この基板の表面に突出して設けられた複数の突起とで構成され、前記駆動部に、前記基板の周縁を前記駆動部に対する位置関係が固定された状態で着脱自在に保持する枠体を設けると共に、前記基板の面と交差する方向にこの基板を撓ませる往復駆動手段を設けたマッサージ装置において、
前記複数の突起が、内側を向いた施療面が設けられた複数の第一突起を有し、前記基板の最大振幅部における振幅方向を中心軸線としたとき、前記第一突起の施療面を、前記基板に接続される基端よりも先端側が前記中心軸線から離間するように凸曲面状に形成すると共に、前記第一突起に外側を向いた陥没部を形成することで、前記第一突起における先端側を容易に弾性変形可能に形成したことを特徴とするマッサージ装置。
【請求項２】
前記第一突起の間に、この第一突起よりも変形しにくく構成された第二突起を設けると共に、前記中心軸線方向において、前記第一突起の高さを前記第二突起の高さより高く形成したことを特徴とする請求項１記載のマッサージ装置。
【発明の詳細な説明】
【技術分野】
【０００１】
本発明は、動力駆動のマッサージ装置に関するものであり、特に、頭皮等を揉むようにマッサージするマッサージ装置に関するものである。
【背景技術】
【０００２】
従来、この種のマッサージ装置として、駆動部と、この駆動部によって動作する施療部とを有し、前記駆動部に、前記施療部の基板の周縁を前記駆動部に対する位置関係が固定された状態で着脱自在に保持する枠体を設けると共に、前記基板の面と交差する方向にこの基板を撓ませる往復駆動手段を設け、前記施療部が、可撓性を有する材質から成る前記基板と、この基板に突出して設けられた複数の突起とで構成されるものが知られている。そして、このマッサージ装置は、マッサージの際に、前記往復駆動手段によって前記施療部の基板を撓ませることで、この基板の撓みに伴って、この基板に設けられた複数の前記突起を繰り返し倒したり起こしたりさせることで相互に開閉させ、この相互に開閉する突起によって、揉んだり擦ったり叩いたりするように、頭皮を複雑にマッサージすることができるものである。そして、前記施療部は、前記基板の最大振幅部における振幅方向を中心軸線としたとき、前記複数の前記突起が、前記中心軸線に対向すると共に前記基板に接続される基端側から先端側に向けて次第に細くなるようにほぼ三角形状に形成された対向面が設けられた三角錐状の第一の突起を有する。（例えば特許文献１）。これは、図６及び図７に示すように、駆動部１０１により駆動される施療部１０２における基板１０３が下に撓んだ湾曲凸状態と上に撓んだ湾曲凹状態との間で変形を繰り返す際、複数種類の突起１０４，１０５，１０６が、前記基板１０３の撓みに伴って動くことで、前記突起１０４，１０５，１０６によって頭皮Ｓをマッサージすることができるというものである。そして、複数の突起のうち、第一突起１０６は、頭皮等のマッサージを行う際に、前記対向面における頭皮等と接触する部位が、幅狭な先端側と幅広の基端側との間で移動することで、指先で行うようなマッサージ等を行うことができる。
【特許文献１】特開２００７−２２９１５９号公報
【発明の開示】
【発明が解決しようとする課題】
【０００３】
しかしながら、従来技術においては、前記第一突起の頭皮に対する接触圧が比較的大きいため、ソフトに接触できないという虞があった。即ち、このような従来のマッサージ装置を用いて頭皮等をマッサージする場合、使用者が頭皮等に軽い痛みを感じる場合があった。これは、第一突起が三角錐状であることによって、その先端が弾性変形しにくくなっていることに起因するものである。
【０００４】
本発明は、以上の問題点を解決し、頭皮等のマッサージを行う際に、より人の指に近付けた優しく且つ効果的なマッサージを行うことができるマッサージ装置を提供することを目的とする。
【課題を解決するための手段】
【０００５】
請求項１の発明は、駆動部と、この駆動部によって動作する施療部とを有し、この施療部が、可撓性を有する材質から成る基板と、この基板の表面に突出して設けられた複数の突起とで構成され、前記駆動部に、前記基板の周縁を前記駆動部に対する位置関係が固定された状態で着脱自在に保持する枠体を設けると共に、前記基板の面と交差する方向にこの基板を撓ませる往復駆動手段を設けたマッサージ装置において、前記複数の突起が、内側を向いた施療面が設けられた複数の第一突起を有し、前記基板の最大振幅部における振幅方向を中心軸線としたとき、前記第一突起の施療面を、前記基板に接続される基端よりも先端側が前記中心軸線から離間するように凸曲面状に形成すると共に、前記第一突起に外側を向いた陥没部を形成することで、前記第一突起における先端側を容易に弾性変形可能に形成したことを特徴とするマッサージ装置である。
【０００６】
また、請求項２の発明は、前記第一突起の間に、この第一突起よりも変形しにくく構成された第二突起を設けると共に、前記中心軸線方向において、前記第一突起の高さを前記第二突起の高さより高く形成したことを特徴とする請求項１記載のマッサージ装置である。
【発明の効果】
【０００７】
請求項１の発明によれば、頭皮等のマッサージを行う際に、頭皮等と接触する前記第一突起に前記陥没部が形成されていることで、前記第一突起における先端側が容易に弾性変形可能となっているので、前記基板の撓みに伴って前記施療面が頭皮等に押し付けられる際に、前記第一突起における先端側が適度に弾性変形する。これによって、前記第一突起の頭皮への接触圧を緩和することができるので、頭皮等に対し、指先で行うような優しく且つ効果的なマッサージを行うことができる。
【０００８】
また、請求項２の発明によれば、前記第二突起の先端側が頭皮に接触するまで前記施療部を頭皮等に押し付けたとしても、変形しにくい前記第二突起によって、前記マッサージ装置本体と頭皮との間隔が適正範囲に保たれる。これによって、前記第一突起は、頭皮等に押し付けられすぎないようにすることができる。
【発明を実施するための最良の形態】
【０００９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１０】
図１〜図５は実施例１を示している。なお、本例においては、図２の姿勢を基準として上下を規定する。１は本発明のマッサージ装置である。このマッサージ装置１は、駆動部としてのマッサージ装置本体２と、このマッサージ装置本体２の下部側に着脱自在に保持される施療部３とを有して構成されている。そして、この施療部３は、基板４と、この基板４の下面と交差する方向である下方側に突出して一体に設けられた第一突起５、第二突起６、第三突起７とで構成されている。また、前記基板４は、平面視で楕円状であって、可撓性及び弾性を有するエラストマーによって形成されている。そして、前記基板４の縁４Ａは、前記マッサージ装置本体２の下縁側に固定されている。なお、ここで言う「固定」とは、多少の動きを許容して接続される状態を含むものであり、本実施例では、前記基板４の縁４Ａを前記マッサージ装置本体２の下面に沿って形成した溝よりなる固定用の枠体８に嵌合させることで、両者を全周に亘って着脱自在に接続している。
【００１１】
前記マッサージ装置本体２は、底面側が開口すると共に片手で把握可能な大きさを有するケース本体２Ａと、このケース本体２Ａの開口した底面側を閉塞する底面部２Ｂとを有して構成されており、この底面部２Ｂは、底板９と覆い体１１とを有する。そして、前記底板９は、平面視で楕円状に形成されており、前記ケース本体２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を水密に封ずるように設けられている。そして、前記マッサージ装置本体２の内部には、前記基板４の中央部を上下方向に往復動させる往復駆動手段１２が設けられている。この往復駆動手段１２は、前記底板９上に設けられる駆動源としてのモータ１３と、このモータ１３のモータ軸１３Ａに減速歯車機構１４を介して接続されるクランク機構１５と、このクランク機構１５の偏心軸１５Ａに対して一側が連結されるコンロッド１６を備えている。なお、前記覆い体１１のほぼ中央には、接続中継部材１７が一体的に取り付けられている。この接続中継部材１７は、その上面側と前記コンロッド１６の他側とで前記覆い体１１を挟持して固定すると共に、その下面側にフック１７Ａが設けられており、このフック１７Ａに前記基板４中央の上面に設けられたフック受け部４Ｂが着脱自在に接続されている。従って、前記接続中継部材１７は、前記モータ１３の回転運動が前記クランク機構１５とコンロッド１６とで往復運動に変換されることで、上下方向に往復運動するようになっている。これにより、前記フック受け部４Ｂが設けられた位置が、前記基板４における最大振幅部となり、その振幅は、前記クランク機構１５の中心軸から前記偏心軸１５Ａまでの偏心距離Ｆの２倍（２Ｆ）となる。また、前記フック受け部４Ｂ及び接続中継部材１７を通って上下方向に仮想的な中心軸線Ｘが形成される。また、前記マッサージ装置本体２の内部には、前記モータ１３に電力を供給するための電池１８が設けられていると共に、前記マッサージ装置本体２の上面側表面には、前記モータ１３を操作するためのスイッチ１９が設けられている。
【００１２】
前記施療部３について詳述する。前記第一突起５と第二突起６は、前記基板４のほぼ中央を上下に通る前記中心軸線Ｘを中心として、前記基板４の縁４Ａに沿って配置される楕円状の仮想外側輪Ｏに沿って設けられる。また、前記第三突起７は、前記仮想外側輪Ｏの内側に配置される円形の仮想内側輪Ｉに沿って設けられている。
【００１３】
前記仮想外側輪Ｏに沿って相互に間隔をおいて設けられる第一突起５は、中心軸線Ｘを中心として相互に対向するように複数間隔をおいて設けられている。なお、本例において、前記第一突起５は、楕円弧状に四つ並んだ群を軸対称となるように二個所に設けることで、合計八つ設けられている。そして、前記第一突起５の施療面２０は、その先端２１側が丸く形成される。一方、前記第一突起５の施療面２０は、中間部から基端２２にかけて幅Ｗがほぼ一定か、或いは前記基端２２側がやや細くなっている。そして、前記施療面２０は、その基端２２側よりも先端２１側が前記中心軸線Ｘからの距離Ｌが長くなるように、前記基端２２側から先端２１側にかけて湾曲凸状に後退している。即ち、図４に示すように、前記施療面２０は、前記基端２２から先端２１に向かうに従って、傾斜が小さくなっている。
【００１４】
そして、前記第一突起５における前記先端２１側の外側、即ち前記施療面２０の反対側には、陥没部５Ａが形成されている。また、前記第一突起５の中間部、即ち前記先端２１と基端２２との間の両側縁には、外側に向けて一対の支持壁５Ｂが形成されている。更に、前記第一突起５における前記基端２２側は、筒状部５Ｃとなっていると共に、この筒状部５Ｃにおける前記先端２１側は、端板部５Ｄにより閉塞されている。従って、前記第一突起５は、先端が端板部５Ｄによって閉塞された筒状部５Ｃの先端側に、前記施療面２０の先端２１側を延長して設けると共に、この施療面２０の中間部の両側縁に一対の支持壁５Ｂを設けた構造となっている。そして、前記支持壁５Ｂ同士は繋がっていないので、これらの支持壁５Ｂ同士が支え合うことがない。従って、前記施療面２０に負荷がかかった際に、この施療面２０の先端２１側が撓むと共に、前記施療面２０の両側縁に設けられた前記支持壁５Ｂも撓むことになる。なお、前記支持壁５Ｂが設けられていない前記施療面２０の先端２１は、軽い力で容易に撓み、前記支持壁５Ｂが設けられている前記施療面２０の中間部は、やや撓みにくく、筒状部５Ｃとなっている前記施療面２０の基端２２側は、殆ど撓まない。即ち、前記施療面２０は、前記基端２２側よりも前記先端２１側のほうが撓みやすくなっている。なお、前記施療面２０自体の厚さ、前記支持壁５Ｂの大きさや厚さ等は、前記施療面２０の撓みやすさを決定する要素となる。
【００１５】
前記第二突起６は、楕円弧状に並んだ前記第一突起５群の端部同士の間に、前記基板４と一体に形成されるものである。実施例では、前記第二突起６は、前記仮想外側輪Ｏ上で且つ前記基板４の長軸方向両端部に、対向して一対設けられている。なお、前記中心軸線Ｘ方向における前記第一突起５の高さＨ１（前記基端２２から前記先端２１まで）は、第二突起６の高さＨ２（基端２２´から先端２１´まで）よりも高く形成されている。そして、この第二突起６は、前記中心軸線Ｘに対向する側を凸曲面状に切り欠いた筒状であり、前記中心軸線Ｘに対向する対向面２０´は前記施療面２０と同様の形状となっている。また、前記第二突起６は、板状の前記基板４の厚みとほぼ同じ厚みによって凸状に一体成形されたものであり、このために、前記第二突起６の内部には中空部２４が形成されている。そして、前記第二突起６は、前記第一突起５とは異なり、陥没部が形成されていなため、前記対向面２０´が他の部分によって支えられるので、負荷が加わっても殆ど変形しない。また、前記第二突起６自体は、前記基板４の長軸方向両端部に形成されていることから、前記基板４が撓んでも大きく動かない。
【００１６】
更に、前記仮想内側輪Ｉに沿って相互に間隔をおいて設けられる複数の前記第三突起７は、先端側がやや細く且つ先端を丸くした円柱状であって、前記中心軸線Ｘ方向の高さＨ３は、前記第一突起５の高さＨ１及び前記第二突起６の高さＨ２よりも低く形成されている。
【００１７】
次に、前記構成について、その作用を説明する。頭皮Ｓのマッサージを行う場合、まず使用者は、前記マッサージ装置本体２を把持し、前記スイッチ１９を操作する。そして、前記スイッチ１９が操作されると、前記電池１８から電力が給電されることで、前記モータ１３が作動して前記モータ軸１３Ａが回転する。この回転に伴い、前記モータ軸１３Ａに前記減速歯車機構１４を介して接続された前記クランク機構１５が回転し、このクランク機構１５及びこのクランク機構１５の偏心軸１５Ａに連結された前記コンロッド１６によって、前記モータ軸１３Ａの回転運動が往復運動に変換され、前記コンロッド１６に連結された前記接続中継部材１７が上下に往復動する。そして、前記基板４は、前記接続中継部材１７に接続された前記フック受け部４Ｂ、即ち、前記基板４の中央が最大振幅箇所となるように、従来技術と同様に下に撓んだ湾曲凸状態と上に撓んだ湾曲凹状態との間で変形を繰り返し、その前記最大振幅個所における振幅は、前記クランク機構１５の中心軸から偏心軸１５Ａまでの偏心距離Ｆの２倍（２Ｆ）となる。そして、このように前記基板４が下に撓んだ湾曲凸状態と上に撓んだ湾曲凹状態との間で変形を繰り返すことで、この基板４と一体に設けられた前記各突起５，６，７も、繰り返し倒れたり起きたりすることで相互に開閉することになる。
【００１８】
そして、使用者は、このように前記各突起５，６，７が動作する前記施療部３を、前記頭皮Ｓに押し当てる。この際、無負荷状態における前記第一突起５の高さＨ１が前記第二突起６の高さＨ２よりも高いことで、前記第二突起６の先端部２１´が前記頭皮Ｓと接触するように、前記施療部３を押し当てると、前記第一の突起５の先端２１側が弾性変形する。これは、前述したように、前記第一突起５の施療面２０の外側に前記陥没部５Ａが形成されていることで、前記施療面２０を支持する支持壁５Ｂ同士が繋がっていないので、前記施療面２０の先端２１側が比較的軽い力で弾性変形可能に構成されているからである。そして、前記基板４が湾曲凸状態と湾曲凹状態との間で繰り返し撓むことで、前記第一突起５が頭皮Ｓに当接して撓んだ状態で起倒を繰り返すことになり、前記第一突起５によって前記頭皮Ｓが掴まれるようにマッサージされることになる。この際、前記第一突起５は、その基端２２側よりも先端２１側が前記中心軸線Ｘから離間するように、前記基端２２側から先端２１側にかけて湾曲凸状に後退していることにより、前記第一突起５が弾性変形しながら起倒を繰り返すと、前記頭皮Ｓと接触する前記施療面２０が、その中間部から先端２１側にかけて頭皮Ｓを滑るように揉むことができる。そして、前記第一突起５の施療面２０が、その先端２１側よりも基端２２側が弾性変形しにくいように形成されていることにより、前記第一突起５が起きている状態では、前記施療面２０は、その先端２１よりもやや基端２２寄りの部分が前記頭皮Ｓにやや強く当たる一方、前記第一突起が倒れている状態では、前記施療面２０は、その先端２１寄りの部分が前記頭皮Ｓに柔らかく当たる。このように、前記施療面２０の先端２１が弾性変形することで、前記施療面２０の頭皮Ｓへの接触圧を低減して、指先で行うような優しく且つ効果的なマッサージを行うことができる。
【００１９】
これに対し、前記第二突起６は、前述したように、前記基板４の長軸方向両端部に形成されているので、前記基板４が撓んだとしても、多少揺動する程度で殆ど動かないと共に、それ自体が殆ど弾性変形しない。しかしながら、この殆ど動かず殆ど弾性変形しない第二突起６自体はマッサージを殆ど行わないものの、この第二突起６によって前記マッサージ装置本体２と頭皮Ｓとの間隔が適正範囲に保たれることになり、前記施療部３を頭皮Ｓに必要以上に強く押し当ててしまうことが防止される。そして、仮に前記第二突起６が設けられていなければ、前記施療部３を頭皮Ｓに必要以上に強く押し当ててしまい、前記第一の突起５の起倒に伴う反作用によって、前記マッサージ装置本体２、ひいてはそれを持つ使用者の手が前記中心軸線Ｘ方向に大きく振動したり、逆に前記施療部３が押し当てられた頭が大きく揺さぶられたりすることになり、前記第一突起５によるマッサージが良好に行われない虞がある。しかしながら、前記第二突起６が設けられていることによって、前記マッサージ装置本体２と頭皮Ｓとの間隔が適正範囲に保たれることで、前記施療部３が頭皮Ｓに対して必要以上に強く押し当てられず、前記マッサージ装置本体２を持つ使用者の手及び前記施療部３が押し当てられた頭が大きく揺さぶられることがないので、前記第一突起５によるマッサージが良好に行われることになる。
【００２０】
また、前記第三突起７は、前記基板４の撓みによって、前記頭皮Ｓに対して近接（又は当接）と離間を繰り返すことになる。即ち、前記第三突起７は、使用者の頭の形状によって、近接するだけであったり、当接したりすることになる。そして、仮に前記第三突起７が設けられていなければ、使用者の頭の形状によっては、前記基板４の中央が前記頭皮Ｓに直接衝突するようなことも起こり得る。しかしながら、このような場合であっても、前記第三突起７が設けられていることによって、この第三突起７が前記頭皮Ｓに衝突した際に容易に撓んで衝撃を緩和することができるので、前記マッサージ装置本体２を持つ使用者の手及び前記施療部３が押し当てられた頭が大きく揺さぶられることがなく、前記第一突起５によるマッサージが良好に行われることになる。
【００２１】
以上のように、前記実施例おいては、可撓性を有する基板４とこの基板４の面と交差するように基板４に設けられた複数の突起５〜７から成る施療部３を、駆動部としてのマッサージ装置本体２の枠体８及び前記マッサージ装置本体２内の往復駆動手段１２に、前記マッサージ装置本体２に対する位置関係が固定された状態で着脱自在に保持させ、前記往復駆動手段１２によって前記基板４をその面と交差する方向に繰り返し撓ませることで、前記各突起５〜７によって頭皮Ｓ等をマッサージするマッサージ装置１であって、前記基板４の最大振幅部における振幅方向を中心軸線Ｘとしたとき、複数の第一突起５に、基端２２よりも先端２１側が前記中心軸線Ｘから離間するように凸曲面状に形成された内向きの施療面２０を設けると共に、前記第一突起５に外側を向いた陥没部５Ａを形成することで、前記第一突起５における先端２１側を容易に弾性変形可能に形成したので、前記施療面２０の接触圧を緩和して、頭皮Ｓ等に対し、指先で行うような優しく且つ効果的なマッサージを行うことができる。
【００２２】
また、前記第一突起５の間に、この第一突起よりも変形しにくく構成された第二突起６を設けると共に、前記中心軸線Ｘ方向において、前記第一突起５の高さＨ１を前記第二突起７の高さＨ２より高く形成したことで、前記第二突起６の先端２１´が頭皮Ｓに接触するまで前記施療部３を頭皮Ｓ等に押し付けたとしても、変形しにくい前記第二突起６によって、前記マッサージ装置本体２と頭皮Ｓとの間隔が適正範囲に保たれるので、前記第一突起５は、頭皮Ｓ等に押し付けられすぎないようにすることができる。
【００２３】
また、前記施療面２０の中間部における両側縁に、外側に向けて一対の支持壁５Ｂを形成し、この支持壁５Ｂによって前記施療面２０を補強したことにより、前記施療面２０の先端２１側が撓みすぎて充分なマッサージ効果が得られないようなことを回避することができる。
【００２４】
しかも、前記施療面２０が、前記基端２２側よりも前記先端２１側が前記中心軸線Ｘから離間するように、前記基端２２側から先端２１側にかけて湾曲凸状に後退していることで、前記第一突起５が弾性変形しながら起倒を繰り返すと、前記頭皮Ｓと接触する前記対向面２０が、その中間部から先端２１側にかけて頭皮Ｓを滑るように揉むことができる。
【００２５】
また、前記第一突起５が前記中心軸線Ｘを中心として複数間隔をおいて環状に設けられていることで、頭皮Ｓを囲むように第一突起５を配置することができる。
【００２６】
なお、本発明のマッサージ装置は、以上の実施例に限定されるものではなく、発明の要旨の範囲内で種々の変形実施が可能である。例えば、上記実施例では、第一突起の先端側の外側に陥没部を設けたが、前記第一突起全体の外側に陥没部を設けても良い。また、上記実施例では、第二突起が、第一突起に設けられた施療面と同様の形状の対向面を有するが、このような対向面は設けなくても良い。
【産業上の利用可能性】
【００２７】
以上のように本発明に係るマッサージ装置は、頭皮のマッサージに用いられるものの他に、頭皮以外の部分に用いられるものにも適用できる。
【図面の簡単な説明】
【００２８】
【図１】本発明の実施例１を示す斜視図である。
【図２】本発明の実施例１を示す断面図である。
【図３】本発明の実施例１を示す施療部の斜視図である。
【図４】本発明の実施例１を示す第一突起まわりの断面図である。
【図５】本発明の実施例１を示す第二突起まわりの断面図である。
【図６】従来技術を示す湾曲凸状態の基板まわりの断面図である。
【図７】従来技術を示す湾曲凹状態の基板まわりの断面図である。
【符号の説明】
【００２９】
１  マッサージ装置
２  マッサージ装置本体（駆動部）
３  施療部
４  基板
４Ａ  周縁
５  第一突起
５Ａ  陥没部
６  第二突起
１２  往復駆動手段
２０  施療面
２０´  対向面
２１  先端
２２  基端
Ｈ１  第一突起の高さ
Ｈ２  第二突起の高さ
Ｘ  中心軸線
【図１】
2009165664.tif 000003
【図２】
2009165664.tif 000004
【図３】
2009165664.tif 000005
【図４】
2009165664.tif 000006
【図５】
2009165664.tif 000007
【図６】
2009165664.tif 000008
【図７】
2009165664.tif 000009